【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
チャネルを介して２つ以上の通信デバイスと通信する方法であって、前記方法は、
前記２つ以上の通信デバイスのうちの第１の通信デバイスから受信した待ち時間の情報を格納することと、
前記待ち時間の情報を読み出すことと、
前記待ち時間の情報に基づいて前記２つ以上の通信デバイスのうちの第２の通信デバイスに関するスリープサイクルを決定することと、を備え、前記スリープサイクルは、前記第２の通信デバイスが信号を受信せず、及び信号を送信しないであろう期間を示す、
前記方法は更に、
前記第１の通信デバイスからの待ち時間の情報を含むフレームを受信することと、を備え、ここにおいて、前記スリープサイクルは、前記第２の通信デバイスが信号を受信しないであろう期間を示す、
ここにおいて、前記スリープサイクルは更に、前記第２の通信デバイスが他の無線デバイスに信号を送信しないであろう期間を示す、
前記方法は更に、
前記スリープサイクルが、ビーコン送信時間とオーバーラップする時、ビーコンフレームを送信することと、を備える方法。
【請求項２】
前記第１の通信デバイスに少なくとも１つのフレームを送信することと、を更に具備し、前記フレームは、前記第２の通信デバイスが他の無線デバイスに信号を送信せず、又は受信しないであろう期間を示す情報を含む、
請求項１の方法。
【請求項３】
前記２つ以上の通信デバイスのうちの少なくとも１つは、バッテリを原動力とする、および／または、
前記第２の通信デバイスは、アクセスポイント（ＡＰ）または中継器である、
請求項１の方法。
【請求項４】
前記スリープサイクルは、定期的なインターバルで繰り返される、および／または、
前記少なくとも１つのフレームの送信は、不在通知を示すデータを用いた前記スリープサイクルを示す、
請求項１の方法。
【請求項５】
前記ビーコンフレームを送信した後、仮眠状態へ前記第２の通信デバイスを設定することをさらに備え、任意で、
前記第２の通信デバイスを前記仮眠状態に設定することは、前記ビーコンフレームを送信した後、直ちに前記仮眠状態に前記第２の通信デバイスを設定することを備える、
請求項１の方法。
【請求項６】
前記アウェイクのウィンドウ継続期間に加え、前記ビーコンフレームを送信した後、及び時間の延長された継続期間の後、に仮眠状態へ前記第２の通信デバイスを設定することをさらに備える請求項１の方法。
【請求項７】
他の通信デバイスからの前記第２の通信デバイスにより受信された調査要求フレーム及び情報に関する要求を示すこと、に応じて、前記第２の通信デバイスがアクティブであることを少なくとも示すレスポンスを送信すること、を更に備える、および／または、
前記第２の通信デバイスが他の通信デバイスから少なくとも１つの関連要求フレームを受信した時、前記第２の通信デバイスは前記他の通信デバイスに前記関連要求フレームへの応答を送信し、前記関連要求は、前記通信デバイスの少なくともスリープサイクル情報を含む、
請求項１の方法。
【請求項８】
ビーコン送信時間である時、前記第２の通信デバイスを介してビーコンフレームを送信することと、アウェイク継続期間に関する前記チャネルをモニタすることと、を更に備え、前記アウェイク継続期間は、少なくとも指定されたアウェイク時間に関する、請求項１の方法。
【請求項９】
前記アウェイクの延長された継続期間は、前記第２の通信デバイスが仮眠状態に行くであろう前に前記中間のアイドル時間の量を示すスロット番号中で示された期間であり、前記方法は更に、前記スロット番号をカウントダウンすることと、前記第２の通信デバイスがアップリンク通信を受信する前に、仮に前記スロット番号の前記カウントダウンがゼロに達したら、仮眠状態に前記第２の通信デバイスを置くことと、を具備し、任意で、
仮に、前記第２の通信デバイスが、前記カウントダウンがゼロに達する前にアップリンクパケットを受信すると、前記スロット番号の前記カウントダウンを再開すること、を更に備える、
請求項６の方法。
【請求項１０】
前記延長された継続期間は、前記第２の通信デバイスが、前記第１の通信デバイスからフレームを受信した時に、再開する、および／または、
前記第２の通信デバイスは、延長アウェイクフレームを送信し、前記延長アウェイクフレームは、前記第２の通信デバイスが前記アウェイク継続期間の後、ある時間量に関する前記チャネルをモニタすることを示し、任意で、
前記第２の通信デバイスは、前記第２の通信デバイスが、前記アウェイク継続期間中に前記第１の通信デバイスから送信されたフレームを受信しない後に、前記延長アウェイクフレームを送信する、
請求項６の方法。
【請求項１１】
前記延長アウェイクフレームは、
カテゴリを示すよう構成されたカテゴリフィールドと、
アクションを示すよう構成されたアクションフィールドと、
前記延長された継続期間の長さを示すよう構成されたアウェイク継続期間フィールドと、
を含む、請求項１０の方法。
【請求項１２】
前記通信デバイスは、前記装置が、アウェイク継続期間の後、時間のある量に関するアウェイク状態中にあることを示す延長アウェイクフレームの情報を含む不在通知フレームを送信する、請求項１の方法。
【請求項１３】
チャネルを介して少なくとも１つの通信デバイスと通信することに関する装置であって、
前記少なくとも１つの通信デバイスから受信した待ち時間の情報を格納する手段と、
前記メモリユニットから前記待ち時間の情報を読み出し、前記待ち時間の情報に基づいて前記プロセッサに関するスリープサイクルを決定する手段とを具備し、前記スリープサイクルは、無線信号を通信する手段が、無線信号を受信せず、又は無線信号を送信しないであろう期間を示し、
前記通信する手段は、前記少なくとも１つの通信デバイスから無線通信信号中の前記待ち時間の情報を受信する手段を具備し、ここにおいて、前記受信する手段は、前記格納する手段中の前記待ち時間の情報を格納するよう構成され、ここにおいて、前記スリープサイクルは、前記前記受信する手段が無線通信信号を受信しないであろう期間を示し、
前記通信する手段は、更に信号を送信する手段を具備し、ここにおいて前記送信する手段は、前記スリープサイクルによって示される期間中に無線通信信号を送信しないよう構成され、
前記送信する手段は、前記スリープサイクルがビーコン送信時間とオーバーラップした時、ビーコンフレームを送信するように構成される、装置。
【請求項１４】
前記読み出す手段及び前記送信する手段は、共同で、少なくとも１つの通信デバイスに少なくとも１つのフレームを送信するよう構成され、前記フレームは、前記通信する手段が、他の無線デバイスに無線通信信号を送信せず又は受信しないであろう期間を示す、情報を含む、請求項１３の装置。
【請求項１５】
請求項１乃至１２のうちのいずれか１項に記載の方法を、無線通信装置に実行させるその上に格納される指示を有する非一時的なコンピュータ可読媒体。
【手続補正２】
【補正対象書類名】明細書
【補正対象項目名】００６３
【補正方法】変更
【補正の内容】
【００６３】
[0077]上述された様々な履行の変更は、見てすぐわかり得、ここで定義され包括的な法則は、アプリケーションの精神か範囲から逸脱せずに、他の履行に適用され得る。したがって、本発明は、ここに示されたインプリメンテーションに限定されるようには意図されず、ここに開示される原理および新規な特徴と一致する最も広い範囲を与えられることとなる。
以下に、出願当初の特許請求の範囲に記載された発明を付記する。
［Ｃ１］
チャネルを介して無線ネットワークの少なくとも１つの無線デバイスと通信することに関する装置であって、
前記少なくとも１つの無線デバイスから受信した待ち時間の情報を格納するよう構成されたメモリユニットと、
操作上、前記メモリユニットに結合されたプロセッサと、前記プロセッサは、前記メモリユニットからの前記待ち時間の情報を読み出し、及び前記待ち時間の情報に基づいた前記プロセッサに関してスリープサイクルを決定するよう構成され、前記スリープサイクルは、前記プロセッサと結合されたトランシーバが信号を受信せず、及び信号を送信しない、期間を示す、を具備する装置。
［Ｃ２］
前記プロセッサに結合される受信機を更に備え、
前記受信機及び前記プロセッサは、共同で、前記少なくとも１つの通信デバイスから前記待ち時間の情報を含むフレームを受信するよう構成され、ここにおいて、前記プロセッサは、前記メモリユニット中の前記待ち時間の情報を格納するよう構成され、及びここにおいて、前記スリープサイクルは、どの前記受信機が無線デバイスから無線信号を受信しないであろう期間を示す、Ｃ１の装置。
［Ｃ３］
送信機を更に具備し、
ここにおいて、前記スリープサイクルは、どの前記送信機が無線デバイスに信号を送信しないであろう期間を示す、Ｃ２の装置。
［Ｃ４］
前記プロセッサ及び前記送信機は、共同で、少なくとも他の通信デバイスに少なくとも１つのフレームを送信するよう構成され、前記フレームは、どの装置が他の無線デバイスに信号を送信せず、又は受信しないであろう期間を示す情報を含む、Ｃ３の装置。
［Ｃ５］
前記装置はバッテリを原動力とした、Ｃ１の装置。
［Ｃ６］
前記装置は、アクセスポイント（ＡＰ）である、Ｃ１の装置。
［Ｃ７］
前記装置は、中継装置である、Ｃ１の装置。
［Ｃ８］
前記プロセッサは、定期的なインターバルで前記スリープサイクルが繰り返されるよう構成される、Ｃ１の装置。
［Ｃ９］
前記少なくとも１つのフレームの送信は、不在通知を用いて前記スリープサイクルを示す、Ｃ４の装置。
［Ｃ１０］
前記送信機は、前記スリープサイクルがビーコン送信時間とオーバーラップした時、ビーコンフレームを送信するよう更に構成されたＣ３の装置。
［Ｃ１１］
前記装置は、ビーコンフレームを送信したのち、仮眠状態に入るＣ１０の装置。
［Ｃ１２］
前記装置は、前記ビーコンフレームを送信したのちの延長された継続期間ののちに仮眠状態に入るＣ１０の装置。
［Ｃ１３］
前記送信機は、前記少なくとも１つの通信デバイスからの前記装置により受信された調査要求フレームに応じて、前記送信機がアクティブであることを少なくとも示す応答を、送信するよう更に構成される、Ｃ１０の装置。
［Ｃ１４］
前記受信機が通信デバイスからの少なくとも１つの関連要求フレームを受信した時、前記送信機は、前記通信デバイスに前記少なくとも１つの関連要求フレームに対する応答を送信し、前記関連要求フレームは、前記通信デバイスの少なくともスリープサイクル情報を含む、Ｃ１０の装置。
［Ｃ１５］
前記送信機は、ビーコン送信時間である時、ビーコンフレームを送信するようさらに構成され、受信機は、アウェイク継続期間に関する前記チャネルをモニタするよう構成され、前記アウェイク継続期間は、少なくとも指定された、アウェイク時間に関する、Ｃ３の装置。
［Ｃ１６］
前記アウェイク継続期間は、受信機が、前記少なくとも１つの通信デバイスからのフレームを、受信した時に再開する、Ｃ１５の装置。
［Ｃ１７］
前記送信機は、延長アウェイクフレームを送信し、前記延長アウェイクフレームは、前記装置が、前記アウェイク継続期間後のある時間量に関する前記チャネルをモニタするであろうことを示す、Ｃ１５の装置。
［Ｃ１８］
前記送信機は、前記装置が、前記アウェイク継続期間の間に前記通信デバイスから送信されたフレームを受信しない後に前記延長アウェイクフレームを送信する、Ｃ１５の装置。
［Ｃ１９］
前記延長アウェイクフレームは、
カテゴリを示すカテゴリフィールドと、
アクションを示すアクションフィールドと、
前記延長された継続期間の長さを示すアウェイク継続期間フィールドと、
を含む、Ｃ１５の装置。
［Ｃ２０］
前記送信機は、前記装置が、アウェイク継続期間の後、ある時間量に関してアウェイク状態であるであろうことを示す、延長アウェイクフレームの情報を含む、不在通知を送信する、Ｃ１の装置。
［Ｃ２１］
前記プロセッサは、各々が異なる継続期間を有し、及び各々が１日の異なる時間の間で使用される、２つまたは複数のスリープサイクルを使用するよう更に構成された、Ｃ１の装置。
［Ｃ２２］
前記プロセッサは、前記無線ネットワークの通信活動の前記レベルをモニタし、及び前記活動のレベルに基づいた前記スリープサイクルを調整するようさらに構成される、Ｃ１の装置。
［Ｃ２３］
前記待ち時間の情報は、前記少なくとも１つの通信デバイスの前記通信活動の量に基づく、Ｃ１の装置。
［Ｃ２４］
チャネルを介して２つまたは複数の通信デバイスと通信する方法であって、前記方法は、
前記２つまたは複数の通信デバイスのうちの第１の通信デバイスから受信した待ち時間の情報を格納することと、
前記待ち時間の情報を読み出すことと、
前記待ち時間の情報に基づいて２つまたは複数の通信デバイスのうちの第２の通信デバイスに関するスリープサイクルを決定することと、前記スリープサイクルは、前記第２の通信デバイスが信号を受信せず、及び信号を送信しないであろう期間を示す、方法。
［Ｃ２５］
前記第１の通信デバイスからの待ち時間の情報を含むフレームを受信することと、を更に備え、
ここにおいて、前記スリープサイクルは、前記第２の通信デバイスが信号を受信しないであろう期間を示す、Ｃ２４の方法。
［Ｃ２６］
前記スリープサイクルは更に、前記第２の通信デバイスが他の無線デバイスに信号を送信しないであろう期間を示す、Ｃ２４の方法。
［Ｃ２７］
前記第１の通信デバイスに少なくとも１つのフレームを送信することと、を更に具備し、前記フレームは、前記第２の通信デバイスが他の無線デバイスに信号を送信せず、又は受信しないであろう期間を示す、
Ｃ２４の方法。
［Ｃ２８］
前記２つまたは複数の通信デバイスのうちの少なくとも１つは、バッテリを原動力とした、Ｃ２４の方法。
［Ｃ２９］
前記第２の通信デバイスは、アクセスポイントである、Ｃ２４の方法。
［Ｃ３０］
前記第２の通信デバイスは中継器である、Ｃ２４の方法。
［Ｃ３１］
前記スリープサイクルは、定期的なインターバルで繰り返えされる、Ｃ２４の方法。
［Ｃ３２］
前記少なくとも１つのフレームの送信は、不在通知を示すデータを用いた前記スリープサイクルを示す、Ｃ２７の方法。
［Ｃ３３］
前記スリープサイクルが、ビーコン送信時間とオーバーラップする時、ビーコンフレームを送信することをさらに備える、Ｃ２６の方法。
［Ｃ３４］
前記ビーコンフレームを送信した後、仮眠状態へ第２の通信デバイスを設定することをさらに備える、Ｃ３３の方法。
［Ｃ３５］
前記アウェイクのウィンドウ継続期間に加え、前記ビーコンフレームを送信した後、及び時間の延長された継続期間の後、に仮眠状態へ前記第２の通信デバイスを設定することをさらに備えるＣ３３の方法。
［Ｃ３６］
他の通信デバイスからの前記第２の通信デバイスにより受信された調査要求フレーム及び情報に関する要求を示すこと、に応じて、前記第２の通信デバイスがアクティブであることを少なくとも示すレスポンスを送信すること、を更に備える、Ｃ３３の方法。
［Ｃ３７］
前記第２の通信デバイスが他の通信デバイスから少なくとも１つの関連要求フレームを受信した時、前記第２の通信デバイスは前記他の通信デバイスに前記関連要求フレームへの応答を送信し、前記関連要求は、前記通信デバイスの少なくともスリープサイクルを含む、Ｃ３３の方法。
［Ｃ３８］
ビーコン送信時間である時、前記第２の通信デバイスを介してビーコンフレームを送信することと、
アウェイク継続期間に関する前記チャネルをモニタすることと、前記アウェイク継続期間は、少なくとも指定されたアウェイク時間に関する、Ｃ２４の方法。
［Ｃ３９］
前記アウェイクの延長された継続期間は、前記第２の通信デバイスが仮眠状態に行くだろう前に前記中間のアイドル時間の前記量を示すスロットの番号中で示された期間であり、前記方法は、スロット番号をカウントダウンすることと、前記第２の通信デバイスがアップリンク通信を受信する前に、仮にスロット番号の前記カウントダウンがゼロに達したら、仮眠状態に前記第２の通信デバイスを置くことと、
を具備するＣ３５の方法。
［Ｃ４０］
仮に、前記第２の通信デバイスが、前記カウントダウンがゼロに達する前にアップリンクパケットを受信すると、前記スロット番号のカウントダウンを再開すること、を更に備えるＣ３９の方法。
［Ｃ４１］
前記延長された継続期間は、前記第２の通信デバイスが、前記第１の通信デバイスからフレームを受信した時に、再開するＣ３５の方法。
［Ｃ４２］
前記第２の通信デバイスは、延長アウェイクフレームを送信し、前記延長アウェイクフレームは、前記第２の通信デバイスが前記アウェイク継続期間の後、ある時間量に関する前記チャネルをモニタすることを示す、Ｃ３５の方法。
［Ｃ４３］
前記第２の通信デバイスは、前記第２の通信デバイスが、前記アウェイク継続期間中に前記第１の通信デバイスから送信されたフレームを受信しない後に、前記延長アウェイクフレームを送信する、Ｃ４２の方法。
［Ｃ４４］
前記第２の通信デバイスを前記仮眠状態に設定することは、前記ビーコンフレームを送信した後、直ちに前記仮眠状態に前記第２の通信デバイスを設定することを備える、Ｃ３４の方法。
［Ｃ４５］
前記延長アウェイクフレームは、
カテゴリを示すよう構成されたカテゴリフィールドと、
アクションを示すよう構成されたアクションフィールドと、
前記延長された継続期間の長さを示すよう構成されたアウェイク継続期間フィールドと、
を含む、Ｃ４２の方法。
［Ｃ４６］
前記通信デバイスは、前記通信デバイスが、アウェイク継続期間の後、時間のある量に関するアウェイク状態中にあることを示す延長アウェイクフレームの情報を含む不在通知フレームを送信する、Ｃ２４の方法。
［Ｃ４７］
チャネルを介して少なくとも１つの通信デバイスと通信することに関する装置であって、
前記少なくとも１つの通信デバイスから受信した待ち時間の情報を格納する手段と、
前記メモリユニットから前記待ち時間の情報を読み出し、前記待ち時間の情報に基づいて前記プロセッサに関するスリープサイクルを決定する手段と、前記スリープサイクルは、無線信号を通信する手段が、無線信号を受信せず、又は無線信号を送信しないであろう期間を示す、
を具備する装置。
［Ｃ４８］
前記通信する手段は、前記少なくとも１つの通信デバイスから無線通信信号中の前記待ち時間の情報を受信する手段を具備し、ここにおいて、前記受信する手段は、前記格納する手段中の前記待ち時間の情報を格納するよう構成され、ここにおいて、前記スリープサイクルは、前記前記受信する手段が無線通信信号を受信しないであろう期間を示す、Ｃ４７の装置。
［Ｃ４９］
前記通信する手段は、更に信号を送信する手段を具備し、ここにおいて前記送信する手段は、前記スリープサイクルによって示される期間中に無線通信信号を送信しないよう構成される、Ｃ４８の装置。
［Ｃ５０］
前記読み出す手段及び前記送信する手段は、共同で、少なくとも１つの通信デバイスに少なくとも１つのフレームを送信するよう構成され、前記フレームは、前記通信する手段が、他の無線デバイスに無線通信信号を送信せず又は受信しないであろう期間を示す、情報を含む、Ｃ４９の装置。
［Ｃ５１］
第１の通信デバイスから受信した待ち時間の情報を格納することと、
前記待ち時間の情報を読み出すことと、
前記待ち時間の情報に基づいて第２の通信デバイスに関するスリープサイクルを決定することと、前記スリープサイクルは、前記第２の通信デバイスが信号を受信せず、及び信号を送信しないであろう期間を示す、
方法を、無線通信デバイスが実行できるようにその上に格納される指示を有する非一時的なコンピュータ可読媒体。
［Ｃ５２］
前記方法は、前記第１の通信デバイスからの待ち時間の情報を示すフレームを受信すること、を更に具備し、
前記スリープサイクルは、前記第２の通信デバイスが、無線通信信号を受信しないであろう期間を示す、Ｃ５１の非一時的なコンピュータ可読媒体。
［Ｃ５３］
前記方法は、前記第２の通信デバイスが他の無線デバイスに無線通信信号を送信しないであろう期間を示す、前記スリープサイクルを決定すること、を更に具備する、Ｃ５１の非一時的なコンピュータ可読媒体。